(57)【特許請求の範囲】
【請求項１】
室外熱交換器（２３）と、
前記室外熱交換器を通過する空気流を生成する複数の室外ファン（２８ａ，２８ｂ）と、
低風量が求められる低風量要求時において、前記複数の室外ファンのトータルの風量であるトータル風量を低下させるために、前記複数の室外ファンが全て運転している第１運転状態から、前記複数の室外ファンのうち一部の室外ファンが停止し残りの運転継続ファンが運転している第２運転状態へ移行する制御部（９１）と、
を備え、
前記制御部は、
前記低風量要求時において、前記第１運転状態から前記第２運転状態へ移行する前に、前記運転継続ファンのファン風量を、前記第２運転状態に移行する直前における前記複数の室外ファンのそれぞれのファン回転数を小さくしたと仮定した場合のトータルの風量である仮定トータル風量よりも大きくなるように、決定するファン風量決定部（９６）と、
前記ファン風量決定部によって決定されたファン風量となるように前記運転継続ファンを運転し、前記一部の室外ファンを停止する実行部（９７）と、
を有する、冷凍装置の室外ユニット（２）。
【請求項２】
前記複数の室外ファンのそれぞれに対応するように形成され、前記複数の室外ファンのそれぞれによって生成された空気流をそれぞれ外に吹き出すための複数の吹出口、
をさらに備え、
前記ファン風量決定部は、前記運転継続ファンのファン風量を、前記仮定トータル風量に対して、停止した前記一部の室外ファンに対応する吹出口において外から前記吹出口に向かうと推定される逆空気流の量だけ大きくなるように、決定する、
請求項１に記載の冷凍装置の室外ユニット。
【請求項３】
前記第２運転状態における前記運転継続ファンのファン風量値を予め記憶する記憶部（９２）、
をさらに備え、
前記ファン風量決定部は、前記第２運転状態における前記運転継続ファンのファン風量を、前記記憶部に予め記憶された前記第２運転状態における前記運転継続ファンのファン風量値となるように決定する、
請求項１又は２に記載の冷凍装置の室外ユニット。
【発明の詳細な説明】
【技術分野】
【０００１】
本発明は、冷凍装置の室外ユニットに関する。
【背景技術】
【０００２】
従来、例えば、低外気時に冷房運転を行う場合や低負荷運転時、圧縮機の高低差圧の確保のために、室外ファンに低風量が求められる。この低風量要求時において、室外ファンの風量を低下したり、室外ファンを停止したりする空気調和装置が提案されている。このような空気調和装置の一例として、特許文献１（特開平５−７１７９１号公報）に開示のように、外気温度の低さに応じて室外ファンの回転速度を低下させるように制御するものや、特許文献２（特開平４−２３６０７２号公報）に開示のように、室外ファンを停止等するものがある。
【発明の概要】
【発明が解決しようとする課題】
【０００３】
ここで、室外ファンが複数ある場合、トータルでの室外ファンの吹き出し風量を低下させようとして、一部の室外ファンの停止等を行うと、停止指令を受けて電力供給がオフされてしばらく経ちファン回転数がゼロ近傍になった室外ファンの吹出口から外気が逆流して中に入り、運転中の室外ファンがその空気を吸い込んでしまうことが想定される。このため、運転中の室外ファンによって確保されていた室外熱交換器を通過する通過空気量（通過風量）が目標値よりも低減することが懸念される。
【０００４】
そこで、本発明の課題は、低風量要求時において、複数の室外ファンのうち一部の室外ファンを停止した場合に、運転中の室外ファンによって確保される室外熱交換器を通過した通過空気量（通過風量）の、目標値からの低下を抑制できる冷凍装置の室外ユニットを提供することにある。
【課題を解決するための手段】
【０００５】
本発明の第１観点に係る冷凍装置の室外ユニットは、室外熱交換器と、複数の室外ファンと、制御部とを備える。複数の室外ファンは、室外熱交換器を通過する空気流を生成する。制御部は、低風量が求められる低風量要求時において、複数の室外ファンのトータルの風量であるトータル風量を低下させるために、第１運転状態から第２運転状態へ移行する。第１運転状態とは、複数の室外ファンが全て運転している状態である。第２運転状態とは、複数の室外ファンのうち一部の室外ファンが停止し、残りの運転継続ファンが運転している状態である。また、制御部は、ファン風量決定部と、実行部とを有する。ファン風量決定部は、低風量要求時において、第１運転状態から第２運転状態へ移行する前に、運転継続ファンのファン風量を、第２運転状態に移行する直前における複数の室外ファンのそれぞれのファン回転数を小さくしたと仮定した場合のトータルの風量である仮定トータル風量よりも大きくなるように、決定する。実行部は、ファン風量決定部によって決定されたファン風量となるように運転継続ファンを運転し、一部の室外ファンを停止する。
【０００６】
尚、ここでの複数の室外ファンのトータル風量とは、複数の室外ファンによって生成されると考えられるトータルの吹き出し空気量（トータルの吹き出し風量）を意味するものとする。
【０００７】
ここで、低風量要求時における第２運転状態においては、停止を開始した室外ファンの回転数がゼロ近傍になるときに、運転を継続する運転継続ファンが、停止を開始した室外ファンの吹出口から逆流して中に入った空気を吸い込み（ここでは、適宜バイパスという）、運転継続ファンの、室外熱交換器を通過した通過空気の吸い込み量が目標値に対してバイパスした量の分だけ下がることが懸念される。
【０００８】
そこで、本発明では、低風量要求時において、第１運転状態から第２運転状態へ移行する前に、運転継続ファンのファン風量を上述のように決定し、決定したファン風量になるように運転継続ファンを運転し、一部の室外ファンを停止する。ここでは、運転継続ファンのファン風量を、第２運転状態に移行する直前における複数の室外ファンのそれぞれのファン回転数を小さくしたと仮定した場合のトータルの風量である仮定トータル風量よりも大きくなるように決定することで、運転中の室外ファン（運転継続ファン）によって確保される室外熱交換器を通過した通過空気量（通過風量）の、目標値からの低下を抑制できる。
【０００９】
本発明の第２観点に係る冷凍装置の室外ユニットは、本発明の第１観点に係る冷凍装置の室外ユニットであって、複数の吹出口をさらに備える。複数の吹出口は、複数の室外ファンのそれぞれに対応するように形成され、複数の室外ファンのそれぞれによって生成された空気流をそれぞれ外に吹き出す。ファン風量決定部は、運転継続ファンのファン風量を、仮定トータル風量に対して、停止した一部の室外ファンに対応する吹出口において外から吹出口に向かうと推定される逆空気流の量だけ大きくなるように、決定する。
【００１０】
本発明の第２観点に係る冷凍装置の室外ユニットでは、バイパスの量の分だけ風量が多くなるように、運転継続ファンのファン風量を決定するので、バイパスが生じたとしても、運転中の運転継続ファンによって確保される室外熱交換器を通過した通過空気量（通過風量）の目標値からの低下を抑制できる。
【００１１】
本発明の第３観点に係る冷凍装置の室外ユニットは、本発明の第１観点又は第２観点に係る冷凍装置の室外ユニットであって、記憶部をさらに備える。記憶部は、第２運転状態における運転継続ファンのファン風量値を予め記憶する。ファン風量決定部は、第２運転状態における運転継続ファンのファン風量を、記憶部に予め記憶された第２運転状態における運転継続ファンのファン風量値となるように決定する。
【００１２】
本発明の第３観点に係る冷凍装置の室外ユニットでは、第２運転状態における運転継続ファンのファン風量値が予め記憶部に記憶されているので、簡易に、第２運転状態における運転継続ファンのファン風量を決定できる。
【発明の効果】
【００１３】
本発明の第１観点及び第２観点に係る冷凍装置の室外ユニットでは、低風量要求時において、運転中の室外ファン（運転継続ファン）によって確保される室外熱交換器を通過した通過空気量（通過風量）の、目標値からの低下を抑制できる
本発明の第３観点に係る冷凍装置の室外ユニットでは、簡易に、第２運転状態における運転継続ファンのファン風量を決定できる。
【図面の簡単な説明】
【００１４】
【図１】本発明の一実施形態に係る冷凍装置としての空気調和装置の冷媒回路の概略構成図。
【図２】制御部の制御ブロック図。
【図３】第１室外ファン及び第２室外ファンのファン回転数を段階的に示したマップ。
【図４】冷房運転時のフローチャート。
【図５】風量低下制御のフローチャート。
【図６】複数の室外ファンのファン回転数を小さくしていき、これらのファン回転数が必要最低回転数に達した後に、一部の室外ファンを停止する場合の、複数の室外ファンのファン回転数と風量（室外熱交換器を通過する通過風量）との関係を示したグラフ。
【発明を実施するための形態】
【００１５】
以下、図面を参照しながら、本発明の一実施形態に係る室外ユニット２を含む冷凍装置の一例としての空気調和装置１の実施形態について説明する。
【００１６】
（１）空気調和装置１の概略構成
図１は、本発明の冷凍装置の一実施形態としての空気調和装置１の冷媒回路１０の概略構成図である。
【００１７】
空気調和装置１は、蒸気圧縮式の冷凍サイクル運転を行うことによって、建物内の居室における冷暖房に使用される装置である。空気調和装置１は、図１に示すように、主として、１台の室外ユニット２と、並列に接続された複数台（本実施形態では、２台）の室内ユニット４ａ，４ｂと、室外ユニット２と室内ユニット４ａ，４ｂとを接続する液側冷媒連絡配管６及びガス側冷媒連絡配管７とを備えている。空気調和装置１の蒸気圧縮式の冷媒回路１０は、室外ユニット２と、室内ユニット４ａ，４ｂと、液側冷媒連絡配管６及びガス側冷媒連絡配管７とが接続されることによって構成されている。以下、これらの構成について説明する。
【００１８】
（１−１）室内ユニット４ａ，４ｂ
室内ユニット４ａ，４ｂは、建物の居室内の天井に埋め込まれたり吊り下げられたりして、又は、居室内の壁面に掛けられて設置される。室内ユニット４ａ，４ｂは、液側冷媒連絡配管６及びガス側冷媒連絡配管７を介して室外ユニット２に接続されている。
【００１９】
次に、室内ユニット４ａ，４ｂの構成について説明する。なお、室内ユニット４ａと室内ユニット４ｂとは、同様の構成であるため、以下では、室内ユニット４ａの構成についてのみ説明し、室内ユニット４ｂの構成については、室内ユニット４ａの各部を示す添え字「ａ」の代わりに添え字「ｂ」を付して説明を省略する。
【００２０】
室内ユニット４ａは、主として、冷媒回路１０の一部を構成する室内側冷媒回路１０ａ（室内ユニット４ｂでは、室内側冷媒回路１０ｂ）を有している。室内側冷媒回路１０ａは、主として、室内膨張弁４１ａと、室内熱交換器４２ａとを有している。
【００２１】
室内膨張弁４１ａは、室内側冷媒回路１０ａ内を流れる冷媒の流量調節や減圧等を行うために、室内熱交換器４２ａの液側に接続された電動膨張弁である。
【００２２】
室内熱交換器４２ａは、伝熱管と多数の伝熱フィンとにより構成されたクロスフィン式のフィン・アンド・チューブ型熱交換器である。室内熱交換器４２ａは、空気調和装置１の冷房運転時には、冷媒の蒸発器として機能して居室内の空気を冷却する。また、室内熱交換器４２ａは、空気調和装置１の暖房運転時には、冷媒の凝縮器として機能して居室内の空気を加熱する。
【００２３】
また、室内ユニット４ａは、室内ファン４３ａを有している。室内ファン４３ａは、室内ユニット４ａ内に居室内の空気を吸入して、室内熱交換器４２ａにおいて冷媒と熱交換させた後に、供給空気として室内に供給するための送風ファンとして機能する。また、室内ファン４３ａは、室内ファンモータ４３ｍａによって駆動され、室内熱交換器４２ａに供給する空気の風量を可変することが可能なファンである。
【００２４】
また、室内ユニット４ａには、各種のセンサが設けられている。具体的には、室内熱交換器４２ａ内を流れる冷媒の温度（冷房運転時における蒸発温度Ｔｅ）を検出する室内熱交温度センサ４４ａと、室内ユニット４ａ内に流入する室内空気の温度（すなわち、室内温度）を検出する室内温度センサ４５ａとが設けられている。
【００２５】
（１−２）室外ユニット２
室外ユニット２は、建物の室外に設置されており、液側冷媒連絡配管６及びガス側冷媒連絡配管７を介して室内ユニット４ａ，４ｂに接続されている。
【００２６】
また、室外ユニット２は、冷媒回路１０の一部を構成する室外側冷媒回路１０ｃを有している。室外側冷媒回路１０ｃは、主として、圧縮機２１と、四路切換弁２２と、室外熱交換器２３と、室外膨張弁２４と、アキュムレータ２５と、液側閉鎖弁２６と、ガス側閉鎖弁２７とを有している。
【００２７】
圧縮機２１は、冷媒を圧縮する。圧縮機２１は、運転容量を可変することが可能なスクロール圧縮機であり、圧縮機用モータ２１ｍによって駆動される。
【００２８】
四路切換弁２２は、冷媒の流れ方向を切り換えるための切換機構としての弁であり、第１状態（図１の四路切換弁２２の実線を参照）と、第２状態（図１の四路切換弁２２の破線を参照）とを採ることができる。第１状態では、圧縮機２１の吐出側と室外熱交換器２３のガス側とが接続されると共に圧縮機２１の吸入側と室内熱交換器４２ａ，４２ｂのガス側とが接続されている。すなわち、四路切換弁２２が第１状態を採る場合は、冷媒回路１０が冷房運転の状態となっている。第２状態では、圧縮機２１の吐出側と室内熱交換器４２ａ，４２ｂのガス側（具体的には、ガス側冷媒連絡配管７）とが接続されると共に圧縮機２１の吸入側（具体的には、アキュムレータ２５）と室外熱交換器２３のガス側とが接続されている。すなわち、四路切換弁２２が第２状態を採る場合は、冷媒回路１０が暖房運転の状態となっている。
【００２９】
室外熱交換器２３は、伝熱管と多数の伝熱フィンとにより構成されるクロスフィン式のフィン・アンド・チューブ型熱交換器である。室外熱交換器２３は、そのガス側が四路切換弁２２に接続され、その液側が液側冷媒連絡配管６に接続されている。室外熱交換器２３は、冷房運転時には冷媒の凝縮器として機能し、暖房運転時には冷媒の蒸発器として機能する。
【００３０】
室外膨張弁２４は、膨張機構であり、室外側冷媒回路１０ｃ内を流れる冷媒の圧力や流量の調節を行うために、室外熱交換器２３の液側に接続された電動膨張弁である。
【００３１】
アキュムレータ２５は、圧縮機２１と四路切換弁２２との間に接続されており、室内ユニット４ａ，４ｂの運転負荷に応じて冷媒回路１０内に発生する余剰冷媒を溜めることが可能な容器である。
【００３２】
液側閉鎖弁２６及びガス側閉鎖弁２７は、外部の機器・配管（具体的には、液側冷媒連絡配管６及びガス側冷媒連絡配管７）との接続口に設けられた弁である。液側閉鎖弁２６は、室外熱交換器２３に接続されている。ガス側閉鎖弁２７は、四路切換弁２２に接続されている。
【００３３】
また、室外ユニット２は、複数（ここでは、２台）の室外ファンを有している。尚、以下では、２台の室外ファンを、第１室外ファン２８ａ及び第２室外ファン２８ｂと表すことにする。第１室外ファン２８ａ及び第２室外ファン２８ｂは、室外ユニット２内に室外空気を吸入して、室外熱交換器２３において冷媒と熱交換させた後に、室外に排出する。すなわち、第１室外ファン２８ａ及び第２室外ファン２８ｂは、室外熱交換器２３を通過する空気流を発生させる。また、第１室外ファン２８ａ及び第２室外ファン２８ｂは、室外熱交換器２３に供給する外気の量を可変することが可能なファンであり、それぞれ、第１室外ファンモータ２８ｍａ及び第２室外ファンモータ２８ｍｂによって駆動されるプロペラファンである。
【００３４】
尚、室外ユニット２の本体ケーシングには、第１室外ファン２８ａ及び第２室外ファン２８ｂのそれぞれに対応するように複数の吹出口が形成されている。各吹出口からは、複数の室外ファンのそれぞれによって生成された空気流が外（居室内）に吹き出される。
【００３５】
また、室外ユニット２には、各種のセンサ２９〜３５が設けられている。具体的には、室外ユニット２には、圧縮機２１に吸入される冷媒の吸入圧力Ｐ１を検出する吸入圧力センサ２９と、圧縮機２１に吸入される冷媒の吸入温度を検出する吸入温度センサ３０と、圧縮機２１から吐出される冷媒の吐出圧力Ｐ２を検出する吐出圧力センサ３１と、冷媒から吐出される冷媒の吐出温度を検出する吐出温度センサ３２と、室外熱交換器２３内を流れる冷媒の温度（冷房運転時における凝縮温度）を検出する室外熱交温度センサ３３と、室外ユニット２が設置される外部の空気である外気温度を検出する外気温度センサ３４と、複数の室外ファン２８ａ，２８ｂによって生成される、室外熱交換器２３を通過する空気量（風量）を検出する風量センサ３５（図２を参照）とが設けられている。
【００３６】
（２）制御ユニット９の構成
図２は、制御ユニット９の制御ブロック図である。図３は、第１室外ファン２８ａ及び第２室外ファン２８ｂのファン回転数を段階的に示したファン回転数マップである。
【００３７】
制御ユニット９は、図２に示すように、制御部９１と、記憶部９２とを有する。
【００３８】
制御部９１は、マイクロコンピュータ等から構成されており、室内制御部９３と室外制御部９４とを有する。
【００３９】
室内制御部９３は、各種のセンサ４４ａ，４４ｂ、４５ａ，４５ｂと接続されており、各種のセンサ４４ａ，４４ｂ、４５ａ，４５ｂの検出信号、室外制御部９４から送られてくる制御信号、室内ユニット４ａ，４ｂの操作を行うためのリモコン（図示せず）から送られてくる制御信号に基づいて、室内ユニット４ａ，４ｂを構成する各種の機器の動作を制御する。具体的には、室内制御部９３は、室内ファン４３ａ，４３ｂを駆動するための室内ファンモータ４３ｍａ，４３ｍｂの回転数、室内膨張弁４１ａ，４１ｂの開度等の制御を行う。
【００４０】
室外制御部９４は、各種のセンサ２９〜３５と接続されており、各種のセンサ２９〜３５の検出信号や室内制御部９３から送られる制御信号に基づいて、室外ユニット２を構成する各種の機器の動作の制御を行う。具体的には、室外制御部９４は、圧縮機２１を駆動するための圧縮機用モータ２１ｍの回転数、室外膨張弁２４の開度、第１室外ファン２８ａ及び第２室外ファン２８ｂを駆動するための第１室外ファンモータ２８ｍａ及び第２室外ファンモータ２８ｍｂのファン回転数等の制御を行う。
【００４１】
ここで、室外制御部９４は、ファン制御部９５を有している。上述した第１室外ファンモータ２８ｍａ及び第２室外ファンモータ２８ｍｂのファン回転数の制御は、このファン制御部９５が行っている。具体的には、ファン制御部９５は、ファン風量決定部９６と、実行部９７とを有している。
【００４２】
ファン風量決定部９６は、記憶部９２に記憶されるファン回転数マップに基づいて、第１室外ファン２８ａ及び第２室外ファン２８ｂのファン回転数を決定する。具体的には、ファン風量決定部９６は、ファン回転数マップに示されたファン回転数になるように、第１室外ファン２８ａ及び第２室外ファン２８ｂのファン回転数を決定する。
【００４３】
実行部９７は、第１室外ファン２８ａ及び第２室外ファン２８ｂの運転／停止を実行する。具体的には、実行部９７は、ファン風量決定部９６によって決定されたファン回転数となるように、第１室外ファン２８ａ及び第２室外ファン２８ｂを運転する。尚、ファン風量決定部９６によって決定された室外ファンのファン回転数が０の場合は、実行部９７は、その室外ファンを停止する。
【００４４】
記憶部９２は、ＲＡＭやＲＯＭ等のメモリから成る。記憶部９２には、図３に示すファン回転数マップが記憶されている。ファン回転数マップでは、第１室外ファン２８ａ及び第２室外ファン２８ｂのそれぞれのファン回転数、これらの室外ファン２８ａ，２８ｂのトータルのファン回転数であるトータル回転数及び平均のファン回転数である平均回転数が示されている。また、記憶部９２には、第１室外ファン２８ａ及び第２室外ファン２８ｂのファン回転数と、これらのそれぞれのファン回転数に対応するファン風量値（吹き出し風量値）との関係を示すマップや関数式が記憶されている。
【００４５】
尚、本実施形態では、予め、記憶部９２に、ファン回転数とファン風量値（吹き出し風量値）との関係が記憶されているので、ファン回転数を決定すれば、このファン回転数に対応して吹出口から吹き出されると考えられるファン風量値（吹き出し風量値）を決定できる。すなわち、ファン風量決定部９６は、ファン回転数を決定することで、ファン風量値（吹き出し風量値）を決定していることになる。
【００４６】
（３）空気調和装置１の動作
以下、空気調和装置１の動作ついて説明する。なお、以下の動作は、制御部９１が行う。空気調和装置１の動作としては、主として、居室の空調負荷（すなわち、室内ユニット４ａ，４ｂの負荷、例えば、設定温度と室内温度との差に基づくもの等）に応じて、室外ユニット２及び室内ユニット４ａ，４ｂを動作させる、冷房運転や暖房運転がある。以下、各種の運転について説明する。
【００４７】
（３−１）暖房運転
まず、図１を用いて、空気調和装置１の暖房運転時の動作を説明する。
【００４８】
暖房運転時は、四路切換弁２２が第２状態を採る。すなわち、圧縮機２１の吐出側が室内熱交換器４２ａ，４２ｂのガス側に接続され、且つ、圧縮機２１の吸入側が室外熱交換器２３のガス側に接続された状態となっている。この状態において、室内ファン４３ａ，４３ｂ、圧縮機２１、第１室外ファン２８ａ、及び、第２室外ファン２８ｂが起動すると、低圧のガス冷媒は、圧縮機２１に吸入され圧縮されて高圧のガス冷媒となり、四路切換弁２２、ガス側閉鎖弁２７及びガス側冷媒連絡配管７を経由して、室内ユニット４ａ，４ｂに送られる。室内ユニット４ａ，４ｂに送られた高圧のガス冷媒は、室内熱交換器４２ａ，４２ｂにおいて、室内空気と熱交換を行って凝縮されて高圧の液冷媒となる。そして、高圧の液冷媒は、室内膨張弁４１ａ，４１ｂを通過する際に、室内膨張弁４１ａ，４１ｂの開度に応じて減圧される。室内膨張弁４１ａ，４１ｂを通過した冷媒は、液側冷媒連絡配管６を経由して室外ユニット２に送られる。室外ユニット２に送られた冷媒は、液側閉鎖弁２６を経由して室外膨張弁２４でさらに減圧された後に室外熱交換器２３に流入する。室外熱交換器２３に流入した低圧の気液二相状態の冷媒は、第１室外ファン２８ａ及び第２室外ファン２８ｂによって供給される室外空気と熱交換を行う。このとき、低圧の気液二相状態の冷媒は、蒸発されて低圧のガス冷媒となる。低圧のガス冷媒は、四路切換弁２２を経由してアキュムレータ２５に流入する。アキュムレータ２５に流入した低圧のガス冷媒は、再び、圧縮機２１に吸入される。
【００４９】
（３−２）冷房運転
図４は、冷房運転時のフローチャートである。次は、空気調和装置１の冷房運転時の動作について図１や図４を用いて説明する。
【００５０】
ここで、例えば、低外気時等の低風量が求められる低風量要求時に冷房運転を行うと、室外熱交換器の凝縮能力が高まり、圧縮機の吐出側の圧力と圧縮機の吸入側の圧力との差（高低差圧）を所定値以上に維持することが困難になる場合がある。圧縮機の高低差圧の維持が困難になると、圧縮機の信頼性の確保の問題が懸念される。
【００５１】
そこで、空気調和装置１では、図４に示すように、冷房運転時に、冷媒の吐出圧力Ｐ２から冷媒の吸入圧力Ｐ１を減算した圧力Ｐ（すなわち、高低差圧Ｐ）が閾値Ｂ以下（Ｐ≦Ｂ）であるか否かを判定している（ステップＳ１０３）。具体的には、まず、室内ユニット４ａ，４ｂの負荷に応じて室外ユニット２及び室内ユニット４ａ，４ｂの制御（通常制御）を行う（ステップＳ１０１）。次に、冷房運転時において蒸発器として機能する室内熱交換器４２ａ，４２ｂ内を流れる冷媒の温度（すなわち、蒸発温度Ｔｅ）が安定しているかを確認するために、目標蒸発温度Ｔｅ１から蒸発温度Ｔｅを減算した値ΔＴｅの絶対値が閾値Ａ以下（｜ΔＴｅ｜≦Ａ）であるか否かを判定する（ステップＳ１０２）。ここで、蒸発温度Ｔｅは、上述したように、室内熱交温度センサ４４ａ，４４ｂによって検出される。尚、蒸発温度Ｔｅは、吸入圧力センサ２９によって検出される冷媒の吸入圧力Ｐ１を冷媒の飽和温度に換算することによって得てもよい。また、安定とは、数値の変化にブレがなくなることを意味する。値ΔＴｅの絶対値が閾値Ａ以下（｜ΔＴｅ｜≦Ａ）であると判定した場合は、ステップＳ１０３において、高低差圧Ｐが閾値Ｂ以下（Ｐ≦Ｂ）であるか否かを判定する。他方、値ΔＴｅの絶対値が閾値Ａ以下（｜ΔＴｅ｜≦Ａ）でないと判定した場合は、ステップＳ１０２を繰り返す。そして、ステップＳ１０３において、高低差圧Ｐが閾値Ｂ以下（Ｐ≦Ｂ）であると判定した場合に、後述する風量低下制御（ステップＳ１０４）を行っている。なお、高低差圧Ｐが閾値Ｂ以下でない（Ｐ＞Ｂ）と判定した場合は、ステップＳ１０１に戻って室内ユニット４ａ，４ｂの負荷に応じて室外ユニット２及び室内ユニット４ａ，４ｂの制御を行っている。
【００５２】
以下、空気調和装置１の冷房運転時における動作を、図１を用いて簡単に説明する。
【００５３】
冷房運転時は、四路切換弁２２が第１状態を採る。すなわち、圧縮機２１の吐出側が室外熱交換器２３のガス側に接続され、且つ、圧縮機２１の吸入側が室内熱交換器４２ａ，４２ｂのガス側に接続された状態となっている。この状態において、室内ファン４３ａ，４３ｂ、圧縮機２１、第１室外ファン２８ａ、及び、第２室外ファン２８ｂを起動すると、低圧のガス冷媒は、圧縮機２１に吸入され圧縮されて高圧のガス冷媒となる。高圧のガス冷媒は、四路切換弁２２を経由して室外熱交換器２３に送られて、第１室外ファン２８ａ及び第２室外ファン２８ｂによって供給される室外空気と熱交換を行う。このとき、高圧のガス冷媒は、室外空気と熱交換を行うことによって凝縮されて高圧の液冷媒となる。高圧の液冷媒は、室外膨張弁２４（ここでは、室外膨張弁２４は全開状態にある）を通過した後、液側閉鎖弁２６及び液側冷媒連絡配管６を経由して、室内ユニット４ａ，４ｂに送られる。室内ユニット４ａ，４ｂに送られた高圧の液冷媒は、室内膨張弁４１ａ，４１ｂを通過する際に減圧され、室内熱交換器４２ａ，４２ｂに送られる。室内熱交換器４２ａ，４２ｂに送られた低圧の気液二相状態の冷媒は、室内空気と熱交換を行うことによって、蒸発されて低圧のガス冷媒となる。低圧のガス冷媒は、ガス側冷媒連絡配管７を経由して室外ユニット２に送られ、ガス側閉鎖弁２７及び四路切換弁２２を経由して、アキュムレータ２５に流入する。アキュムレータ２５に流入した低圧のガス冷媒は、再び、圧縮機２１に吸入される。
【００５４】
（４）風量低下制御
図５は、風量低下制御のフローチャートである。風量低下制御とは、第１室外ファン２８ａ及び第２室外ファン２８ｂのトータルのファン回転数であるトータル回転数（すなわち、トータルの風量であるトータル風量（吹き出し風量））を低下する制御である。本実施形態では、上述したように、高低差圧が確保できないと圧縮機の信頼性の問題が懸念されるため、高低差圧Ｐが閾値Ｂ以下である場合は、室外熱交換器２３の凝縮能力を抑制するために風量低下制御を行っている。すなわち、低風量が求められる低風量要求時において、風量低下制御を行っている。以下、図５を用いて風量低下制御について説明する。
【００５５】
まず、ステップＳ１１１では、実行部９７が、第１室外ファン２８ａ及び第２室外ファン２８ｂのそれぞれのファン回転数を、同じ量だけ小さくしていく。
【００５６】
具体的には、ファン風量決定部９６が、記憶部９２に記憶されるファン回転数マップに基づいて、第１室外ファン２８ａ及び第２室外ファン２８ｂのトータル風量（具体的には、これらの複数の室外ファンによって生成され室外熱交換器２３を通過する通過空気量（通過風量））が略線形的に低下するように、第１室外ファン２８ａ及び第２室外ファン２８ｂのファン回転数を決定している。より具体的には、図３に示すように、例えば、現在の第１室外ファン２８ａ及び第２室外ファン２８ｂのファン回転数がいずれも７００ｒｐｍである場合は、ファン風量決定部９６は、次に、第１室外ファン２８ａ及び第２室外ファン２８ｂのファン回転数がいずれも６００ｒｐｍになるように決定する。
【００５７】
そして、実行部９７が、第１室外ファン２８ａ及び第２室外ファン２８ｂのそれぞれのファン回転数が、ファン風量決定部９６によって決定されたファン回転数となるように、第１室外ファン２８ａ及び第２室外ファン２８ｂを運転している。
【００５８】
ステップＳ１１２では、実行部９７が、ステップＳ１１１において小さくされた第１室外ファン２８ａ及び第２室外ファン２８ｂのそれぞれのファン回転数が、必要最低回転数（本実施形態では、４００ｒｐｍ）になったか否かを判定する。なったと判定する場合は、ステップＳ１１３へ移行し、他方、なっていないと判定する場合は、第１室外ファン２８ａ及び第２室外ファン２８ｂのそれぞれのファン回転数が必要最低回転数になるまでステップＳ１１１の処理を行う。尚、ステップＳ１１１を実行する前の複数の室外ファン２８ａ，２８ｂのファン回転数が異なるように運転されている場合は、先に一方の室外ファンのファン回転数が必要最低回転数に達することになるが、他方の室外ファンのファン回転数が必要最低回転数になるまで、その一方の室外ファンは必要最低回転数で運転されることになる。
【００５９】
ステップＳ１１３では、実行部９７が、第１室外ファン２８ａ及び第２室外ファン２８ｂのいずれか一方の室外ファンを停止する。すなわち、停止させる一方のファンへの電力供給をオフ状態にする。ステップＳ１１３では、第１室外ファン２８ａ及び第２室外ファン２８ｂが運転している、すなわち、複数の室外ファンが全て運転している第１運転状態から、第１室外ファン２８ａ及び第２室外ファン２８ｂのうち一方の室外ファンが停止し、他方の室外ファンが運転している第２運転状態へ移行することになる。尚、以下の説明では、第２運転状態において、第１室外ファン２８ａの運転が継続され、第２室外ファン２８ｂが停止状態にある場合を例に挙げて説明する。そして、停止される一方の第２室外ファン２８ａとは別の、運転が継続される第１室外ファン２８ａを、適宜、運転継続ファンという。
【００６０】
ここで、第１室外ファン及び第２室外ファンのファン回転数を必要最低回転数よりも低くした状態で運転すれば、第１室外ファン及び第２室外ファンのトータル風量（吹き出し風量）を低下することができるが、第１室外ファン及び第２室外ファンを必要最低回転数よりも低いファン回転数で運転すると、軸受に問題が生じたり騒音の問題が生じたりすることが懸念される。そこで、本実施形態では、第１室外ファン２８ａ及び第２室外ファン２８ｂを運転したとしても騒音の問題等が生じないような運転可能なファン回転数として必要最低回転数を設定し、両室外ファン２８ａ，２８ｂのファン回転数が必要最低回転数になった場合に、一方の室外ファンを停止して、両室外ファンのトータル回転数、すなわち、トータル風量（吹き出し風量）をさらに小さくするようにしている。
【００６１】
以上のように、本実施形態の第１運転状態から第２運転状態への移行条件は、複数の室外ファン２８ａ、２８ｂ（第１室外ファン２８ａ及び第２室外ファン２８ｂ）の全てのファン回転数が必要最低回転数に達したことである。
【００６２】
尚、第１運転状態から第２運転状態へ移行すると、電力供給をオフされてしばらく時間が経過することによりファン回転数がゼロ近傍になった第２室外ファンの吹出口から、運転中の第１室外ファンが空気を吸い込んでしまうこと（ここでは、適宜、バイパスという）が想定される。このため、運転中の第１室外ファン（運転継続ファン）によって確保されていた室外熱交換器を通過する通過空気量（通過風量）が目標値よりも下がることが想定される。実際に、２つの室外ファンが運転している状態から一方の室外ファンを停止した状態にする（具体的には、２つの室外ファンのファン回転数を小さくしていき、これらのファン回転数が必要最低回転数に達した後に、一方の室外ファンを停止する）と、図６に示すように、線形的に低下していた通過風量（風量センサによって検出される室外熱交換器を通過する通過風量）が急に低下することがわかっている。
【００６３】
そこで、本実施形態では、運転継続ファンのファン回転数を仮定トータル回転数よりも大きくなるように決定できるファン回転数マップを、記憶部９２に記憶している。
【００６４】
ここで、仮定トータル回転数とは、図３の（）内に記載した回転数のことを言う。上述したように、第１運転状態においては、第１室外ファン２８ａ及び第２室外ファン２８ｂのファン回転数が必要最低回転数に達するまでに第１室外ファン２８ａ及び第２室外ファン２８ｂのファン回転数を小さくしてきたが（尚、このような制御を、ここでは、第１運転状態における必要最低回転数前制御という）、この場合と同様（すなわち、第１運転状態における必要最低回転数前制御と同様）にして、第１室外ファン２８ａ及び第２室外ファン２８ｂのファン回転数を必要最低回転数からさらに小さくしたと仮定した場合の第１室外ファン２８ａ及び第２室外ファン２８ｂのトータルのファン回転数のことを、仮定トータル回転数という。すなわち、本実施形態では、第１運転状態における必要最低回転数前制御において、第１室外ファン２８ａ及び第２室外ファン２８ｂのそれぞれのファン回転数を１００ｒｐｍずつ小さくしている（トータルでは、２００ｒｐｍずつ）が、これと同様にして、第１室外ファン２８ａ及び第２室外ファン２８ｂのそれぞれのファン回転数を、必要最低回転数からさらに１００ｒｐｍずつ小さくしたと仮定した場合のトータルのファン回転数が仮定トータル回転数になる。例えば、第１室外ファン２８ａ及び第２室外ファン２８ｂのファン回転数が必要最低回転数である状態（トータル回転数が、８００ｒｐｍの状態）において、第１運転状態における必要最低回転数前制御と同様にして第１室外ファン２８ａ及び第２室外ファン２８ｂのファン回転数を小さくしたと仮定した場合の仮定トータル回転数は、６００ｒｐｍになる。
【００６５】
そして、ファン回転数マップでは、運転継続ファンのファン回転数が、上記の仮定トータル回転数に対して、停止した第２室外ファン２８ｂに対応する吹出口において外から吹出口に向かうと推定される逆空気流の量（ここでは、適宜、バイパス量という）だけ大きくなるような、ファン回転数に設定されている。具体的には、例えば、上述のように仮定トータル回転数が６００ｒｐｍとなるような場合、運転継続ファンのファン回転数は、６００ｒｐｍに対して、バイパス量の分に相当するファン回転数が加算されて、７５０ｒｐｍに設定されている。尚、バイパス量は、基本的には、第１室外ファン２８ａ及び第２室外ファン２８ｂの機種、配置位置等によって異なるものであり、机上計算、シミュレーション、実験等によって決定されて推定されるものとする。また、バイパス量の分に相当するファン回転数とは、バイパス量の分だけ空気量を生成できるようなファン回転数をいい、机上計算、シミュレーション、実験等によって、予め決定されているものとする。
【００６６】
よって、ステップＳ１１３では、複数の室外ファン２８ａ，２８ｂのうち一方の室外ファンを停止すると共に、運転継続ファンを、そのファン回転数が上述のファン回転数マップから導出されたファン回転数となるように、運転している。尚、運転継続ファンのファン回転数は、第１運転状態における複数の室外ファン２８ａ，２８ｂのトータル風量の略線形的な低下に繋がっていくように（すなわち、バイパスが生じることによって室外熱交換器２３を通過する通過空気量が急に低下して図６の点線に示すような線形上（すなわち
目標値）から大きく外れることなくその線形上を変動するように）、設定されている。
【００６７】
以上のように、ファン風量決定部９６は、第１運転状態から第２運転状態へ移行するときに（具体的には、第１運転状態から第２運転状態に移行する前に）、上述したようなファン回転数マップに基づいて、第２運転状態における運転継続ファンのファン回転数を決定している。つまり、ファン風量決定部９６は、運転継続ファンの第２運転状態におけるファン回転数を、仮定トータル回転数よりも大きくなるように（具体的には、仮定トータル回転数に対して、バイパス量の分だけ大きくなるように）、決定していることになる。
【００６８】
そして、ステップＳ１１４において、運転継続ファンのファン回転数を、さらに小さくしていく。具体的には、ファン風量決定部９６が、運転継続ファンによって生成され且つ室外熱交換器２３を通過する通過空気量（通過風量）が、第１運転状態における複数の室外ファン２８ａ，２８ｂのトータル風量の略線形的な低下と繋がるように、ファン回転数マップに基づいて運転継続ファンのファン回転数を決定している。そして、実行部９７が、運転継続ファンのファン回転数がファン風量決定部９６によって決定されたファン回転数となるように、運転継続ファンを運転している。
【００６９】
そして、ステップＳ１１５において、運転継続ファンのファン回転数が必要最低回転数になったか否かを判定する。なったと判定する場合は、風量低下制御を終了し、ステップＳ１０２へ移行する。他方、なっていないと判定する場合は、運転継続ファンのファン回転数が必要最低回転数になるまで待機する。
【００７０】
（５）特徴
（５−１）
本実施形態の空気調和装置１では、高低差圧Ｐが閾値Ｂ以下であるような、室外ファン（第１室外ファン２８ａ及び第２室外ファン２８ｂ）の低風量が求められる低風量要求時において、制御部９１（具体的には、ファン制御部９５）は、まず、複数の室外ファン（第１室外ファン２８ａ及び第２室外ファン２８ｂ）が運転している第１運転状態から、一方の室外ファン（ここでは、第２室外ファン２８ｂ）を停止し、他方の室外ファン（ここでは、第１室外ファン２８ａ）の運転を継続する第２運転状態に移行する。
【００７１】
ここで、上述したように、第１運転状態から第２運転状態へ移行すると、電力供給がオフされた第２室外ファンのファン回転数がゼロ近傍になるときに、運転中の第１室外ファンによって確保されていた室外熱交換器を通過する通過空気量（通過風量）が目標値よりも下がることが想定される。
【００７２】
そこで、本実施形態では、風量低下制御において、第１運転状態（具体的には、複数の室外ファン２８ａ，２８ｂのそれぞれのファン回転数がどちらも必要最低回転数に達した状態）から第２運転状態へ移行するときに、まず、ファン風量決定部９６が、運転継続ファンの第２運転状態におけるファン回転数を決定している。ここで、運転継続ファンとは、複数の室外ファン２８ａ，２８ｂのうち停止される一方の室外ファンではない他方の運転が継続される室外ファンのことである。具体的には、ファン風量決定部９６は、上述したように、第２運転状態における運転継続ファンのファン回転数を、第１運転状態において複数の室外ファン２８ａ，２８ｂのそれぞれのファン回転数が所定回転数（具体的には、必要最低回転数）に達する前と同様にして、複数の室外ファン２８ａ，２８ｂのファン回転数をさらに小さくしたと仮定した場合の仮定トータル回転数よりも大きくなるように、決定している。
【００７３】
つまり、本実施形態では、一方の室外ファンが停止された第２運転状態において、複数の室外ファン２８ａ，２８ｂの運転が継続していると仮定しこれらのファン回転数を所定回転数（具体的には、必要最低回転数）に達する前と同じようにして小さくしたと仮定した場合の仮定トータル回転数よりも大きくなるように、運転継続ファンのファン回転数を決定している。
【００７４】
尚、本実施形態では、予め、記憶部９２に、ファン回転数とファン風量値（吹き出し風量値）との関係が記憶されているので、ファン回転数を決定すれば、ファン風量値（吹き出し風量値）を決定できる。
【００７５】
以上のように、本実施形態では、バイパスが生じたとしても、第２運転状態における運転継続ファンのファン回転数を仮定トータル回転数よりも大きくしているので、運転継続ファンによって確保される室外熱交換器を通過した通過空気量（通過風量）の、目標値からの低下を抑制できる。また、複数の室外ファン２８ａ，２８ｂのトータル回転数（トータル風量）を低減していくこともできる。
【００７６】
（５−２）
本実施形態では、ファン風量決定部９６は、第２運転状態における運転継続ファンのファン回転数を、記憶部９２に記憶されているファン回転数マップに基づいて決定している。すなわち、ファン風量決定部９６は、第２運転状態における運転継続ファンのファン回転数を、記憶部９２に予め記憶された第２運転状態における運転継続ファンのファン回転数となるように、決定している。ここで、上述したように、ファン回転数マップでは、第２運転状態における運転継続ファンのファン回転数が、仮定トータル回転数に対して、バイパス量の分に相当する分のファン回転数だけ大きくなるような、ファン回転数に設定されている。
【００７７】
以上のように、本実施形態では、第２運転状態における運転継続ファンのファン回転数が、仮定トータル回転数にバイパス量に相当するファン回転数が加算された値となっている、ファン回転数マップを用いて、第２運転状態における運転継続ファンのファン回転数を決定できる。よって、簡易に、運転継続ファンによって確保される室外熱交換器を通過した通過空気量（通過風量）の、目標値からの低下を抑制できる。
【００７８】
（６）変形例
以上、本発明の実施形態について図面に基づいて説明したが、具体的な構成は、上記の実施形態に限られるものではなく、発明の要旨を逸脱しない範囲で変更可能である。
【００７９】
（６−１）変形例Ａ
上記実施形態では、高低差圧Ｐが閾値Ｂ以下であるような、室外ファン（第１室外ファン２８ａ及び第２室外ファン２８ｂ）の低風量が求められる低風量要求時として、低外気時における冷房運転を行う場合を例に挙げて説明したが、これに限られるものではない。
【００８０】
上記実施形態に記載の風量低下制御は、高低差圧Ｐが閾値Ｂ以下であるような状況下において適用可能であるため、例えば、サーモオフ後の起動時、通常制御時に室内ユニットの運転台数が減少し圧縮機の回転数が減少する時、暖房運転時の低圧が上がりすぎた時等にも適用できる。
【００８１】
（６−２）変形例Ｂ
上記実施形態以外では、上述したような一連の風量低下制御を終えてから、ステップＳ１０２に戻っているが、これに限られるものではなく、風量低下制御の途中でステップＳ１０２に戻ってもよい。例えば、風量低下制御において、複数の室外ファン２８ａ，２８ｂのトータル回転数や平均回転数を１段階小さくした時点で、ステップＳ１０２及びステップＳ１０３の判定を行ってもよい。そして、この判定によって、まだ高低差圧Ｐが閾値Ｂ以下である場合に、風量低下制御に戻って、風量低下制御において、複数の室外ファン２８ａ，２８ｂのトータル回転数や平均回転数をさらに１段階小さくしてもよい。そして、このような制御を繰り返してもよい。
【００８２】
（６−３）変形例Ｃ
上記実施形態では、室外ユニット２に２台の室外ファン２８ａ，２８ｂが搭載されていることを前提に説明したが、室外ユニット２には、３台以上の室外ファンが搭載されていてもよい。この場合、３台以上の室外ファンが全て運転している第１運転状態から、３台以上の室外ファンのうち一部の室外ファンが停止している第２運転状態へ移行したとしても上述したようなバイパスの問題が生じるため、停止された一部の室外ファンを除く残りの運転継続ファンのファン風量（吹き出し風量）を、上述と同様に（すなわち、仮定トータル風量よりも大きくなるように）、決定できる。
【００８３】
（６−４）変形例Ｄ
上記実施形態では、本発明に係る冷凍装置として空気調和装置に限定して説明したが、これに限られるものではなく、ヒートポンプ式の給湯装置であってもよい。
【産業上の利用可能性】
【００８４】
本発明は、複数の室外ファンを備える種々の冷凍装置の室外ユニットに適用可能である。
【符号の説明】
【００８５】
１              空気調和装置（冷凍装置）
２              室外ユニット
２３            室外熱交換器
２８ａ          第１室外ファン（室外ファン）
２８ｂ          第２室外ファン（室外ファン）
９１            制御部
９２            記憶部
９６            ファン風量決定部
９７            実行部
【先行技術文献】
【特許文献】
【００８６】
【特許文献１】特開平５−７１７９１号公報
【特許文献２】特開平４−２３６０７２号公報
【図１】
0005884381.tif 000002
【図２】
0005884381.tif 000003
【図３】
0005884381.tif 000004
【図４】
0005884381.tif 000005
【図５】
0005884381.tif 000006
【図６】
0005884381.tif 000007